(57)【要約】【課題】光源によって照らされる演出部材を備えた遊技機において、当該演出部材による演出の趣向性の向上を図ること。【解決手段】光源３０と、光源３０の前方に設けられ、光透過性の材料で形成された第一光透過部１４を有する第一演出部材１０と、光源３０の前方に設けられ、前後方向において第一演出部材１０の第一光透過部１４と重なる領域が相対的に大きい第一状態と、重なる領域が相対的に小さい第二状態とに変位可能な第二演出部材２０と、を備える遊技機１とする。第二演出部材２０が第二状態にあるとき、当該第二演出部材２０は前後方向において光源３０と重ならないように設定されているとよい。【選択図】図５
2016174920.tif 000002
【特許請求の範囲】
【請求項１】
光源と、
前記光源の前方に設けられ、光透過性の材料で形成された第一光透過部を有する第一演出部材と、
前記第一演出部材に支持された部材であって、前記光源の前方に設けられ、前後方向において前記第一演出部材の前記第一光透過部と重なる領域が相対的に大きい第一状態と、重なる領域が相対的に小さい第二状態とに前記第一演出部材に対して変位可能な第二演出部材と、
を備えることを特徴とする遊技機。
【請求項２】
前記第二演出部材が前記第二状態にあるとき、当該第二演出部材は前後方向において前記光源と重ならないように設定されていることを特徴とする請求項１に記載の遊技機。
【請求項３】
前記第二演出部材は、光透過性の材料で形成された第二光透過部を有し、
前記第一光透過部の少なくとも一部の色と、前記第二光透過部の少なくとも一部の色が異なることを特徴とする請求項１または請求項２に記載の遊技機。
【請求項４】
前記第一光透過部の少なくとも一部は無色透明であり、前記第二光透過部の少なくとも一部は有色透明であることを特徴とする請求項３に記載の遊技機。
【請求項５】
前記第一状態にあるときにおける前記第一光透過部と前記第二光透過部の色が異なる部分が前後方向において重なる領域は、前記第二状態にあるときにおける前記第一光透過部と前記第二光透過部の色が異なる部分が前後方向において重なる領域よりも大きいことを特徴とする請求項３または請求項４に記載の遊技機。
【発明の詳細な説明】
【技術分野】
【０００１】
本発明は、光源によって照らされる演出部材を備えた遊技機に関する。
【背景技術】
【０００２】
例えば下記特許文献１等に記載されるように、演出部材（いわゆる役物）の後方に設けられた光源によって演出部材を照らし、演出部材による演出効果を高めた遊技機が種々知られている。
【先行技術文献】
【特許文献】
【０００３】
【特許文献１】特開２０１４−２１２９２０号公報
【発明の概要】
【発明が解決しようとする課題】
【０００４】
このような光源によって照らされる演出部材を備えた多くの遊技機は、演出部材が単純に光に照らされるだけであるため、演出の面白みに欠ける。
【０００５】
本発明は、光源によって照らされる演出部材を備えた遊技機において、当該演出部材による演出の趣向性の向上を図ることを目的とする。
【課題を解決するための手段】
【０００６】
本発明にかかる遊技機は、光源と、前記光源の前方に設けられ、光透過性の材料で形成された第一光透過部を有する第一演出部材と、前記第一演出部材に支持された部材であって、前記光源の前方に設けられ、前後方向において前記第一演出部材の前記第一光透過部と重なる領域が相対的に大きい第一状態と、重なる領域が相対的に小さい第二状態とに前記第一演出部材に対して変位可能な第二演出部材と、を備えることを特徴とする。
【０００７】
上記本発明にかかる遊技機は、第二演出部材が、第一演出部材の第一光透過部と重なる領域が相対的に大きい第一状態、重なる領域が相対的に小さい第二状態とに変位可能であるから、第二演出部材が第一状態にあるときと第二状態にあるときとでは、第一光透過部を通じた光の見え方（光の加減）が異なることとなる。つまり、光源によって照らされる演出部材を用いた演出の趣向性を向上させること（演出のバリエーションを増加させること）が可能である。
【０００８】
前記第二演出部材が前記第二状態にあるとき、当該第二演出部材は前後方向において前記光源と重ならないように設定されているとよい。
【０００９】
このような構成とすれば、第二演出部材が第二状態にあるときには、（第一状態にあるときに比して）当該第二演出部材と第一演出部材の明暗がよりはっきりとするから、第一状態にあるときと第二状態にあるときの態様（遊技者が受ける印象）の差を大きくすることが可能である。
【００１０】
前記第二演出部材は、光透過性の材料で形成された第二光透過部を有し、前記第一光透過部の少なくとも一部の色と、前記第二光透過部の少なくとも一部の色が異なるとよい。
【００１１】
また、前記第一光透過部の少なくとも一部は無色透明であり、前記第二光透過部の少なくとも一部は有色透明であるとよい。
【００１２】
この場合、前記第一状態にあるときにおける前記第一光透過部と前記第二光透過部の色が異なる部分が前後方向において重なる領域は、前記第二状態にあるときにおける前記第一光透過部と前記第二光透過部の色が異なる部分が前後方向において重なる領域よりも大きいとよい。
【００１３】
このような構成とすれば、第二演出部材が第一状態にあるときと第二状態にあるときとでは、遊技者が視認できる光の色が異なる。つまり、第二演出部材の変位とともに、光の色の変化を生じさせることが可能である。
【発明の効果】
【００１４】
本発明によれば、光源によって照らされる演出部材による演出の趣向性の向上を図ることが可能である。
【図面の簡単な説明】
【００１５】
【図１】本発明の一実施形態にかかる遊技機の正面図であり、演出装置が原位置に位置した状態を示したものである（発射装置（発射ハンドル）等公知の部材は省略）。
【図２】センターベースおよびそれに固定された演出装置の正面図（遊技盤を取り外した状態の正面図）であって、第一演出部材が原位置に位置し、第二演出部材が第一状態にあるものを示した図である。
【図３】センターベースおよびそれに固定された演出装置の正面図（遊技盤を取り外した状態の正面図）であって、第一演出部材が演出位置に位置し、第二演出部材が第二状態にあるものを示した図である。
【図４】演出装置の外観図である。
【図５】演出装置の正面図であって、第二演出部材が第一状態にあるものを示した図である。
【図６】演出装置の正面図であって、第二演出部材が第二状態にあるものを示した図である。
【図７】第一演出部材を取り外した状態にある演出装置の外観図であって、駆動源から第一演出部材や第二演出部材に至る動力伝達機構を説明するための図である。
【図８】演出装置の背面図であって、第二演出部材が第一状態にあるものを示した図である。
【図９】演出装置の背面図であって、第二演出部材が第二状態にあるものを示した図である。
【図１０】前後方向における光源、第一演出部材、第二演出部材の位置関係を説明するための模式図である。
【発明を実施するための形態】
【００１６】
以下、本発明にかかる実施形態について図面を参照して詳細に説明する。なお、以下の説明における平面方向とは遊技領域９０２に沿う（平行な）方向を、前後方向とは遊技領域９０２に直交する方向（遊技者側を前、その反対側を後とする）を、左右方向（幅方向）とは図１の左右方向を、上下方向とは図１の上下方向をいうものとする。
【００１７】
まず、図１を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１８】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１９】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２０】
このような遊技機１では、発射装置（図示省略）を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。なお、本実施形態にかかる遊技機１は、いわゆるぱちんこ遊技機であるが、以下で説明する構成は、スロットマシン等、他の種類の遊技機にも適用可能である。
【００２１】
以下、本実施形態にかかる遊技機１が備える演出装置１ａについて、図面を参照して詳細に説明する。なお、本実施形態では、センターベース８０の左側および右側に一つずつ演出装置１ａが設けられている（図１〜図３参照）が、以下、左側に設けられた演出装置１ａを説明し、右側に設けられた演出装置１ａの基本的な構造は左側に設けられたものと同じである（左右反対である）ため、説明は省略する。図４〜図９に示す演出装置１ａは、左側に設けられたものである。本実施形態にかかる演出装置１ａは、第一演出部材１０、第二演出部材２０および光源３０を備える。
【００２２】
第一演出部材１０は、「剣」を模した形状を有する細長い部材である。一方、第二演出部材２０は、「炎」を模した形状を有する細長い部材である（図４〜図６等参照）。本実施形態では、左第二演出部材２０Ｌ、右第二演出部材２０Ｒという二つの第二演出部材２０が設けられており、両第二演出部材２０は、第一演出部材１０よりも後方に位置する。前後方向における左第二演出部材２０Ｌと右第二演出部材２０Ｒの位置は略同じである。左第二演出部材２０Ｌおよび右第二演出部材２０Ｒそれぞれの先端側（本実施形態では原位置に位置するときにおける下側）には、貫通孔である被支持孔（左被支持孔２１Ｌ、右被支持孔２１Ｒ）が形成されている（図７等参照）。当該各被支持孔内には、第一演出部材１０の先端側（本実施形態では原位置に位置するときにおける下側）に設けられた支持突起（左支持突起１１Ｌおよび右支持突起１１Ｒ）が嵌まり込んでいる。つまり、左第二演出部材２０Ｌは、左被支持孔２１Ｌに係合する左支持突起１１Ｌを支点として回動することが可能であり、右第二演出部材２０Ｒは、右被支持孔２１Ｒに係合する右支持突起１１Ｒを支点として回動することが可能である（図５〜図７等参照）。
【００２３】
第一演出部材１０の基端側には、後方に向かって突出する突起である被誘導突起１５が形成されている。当該被誘導突起１５は、遊技盤９０の後方に設けられたセンターベース８０に固定される板部材８１に形成された誘導溝８１１に嵌まり込んでいる（図３、図８、図９等参照）。被誘導突起１５は誘導溝８１１内をスライドすることができる。誘導溝８１１は円弧形状の溝である。詳細を後述するように、被誘導突起１５を有する第一演出部材１０は、当該円弧状の誘導溝８１１に沿うように変位する。
【００２４】
かかる第一演出部材１０および第二演出部材２０に対し、図７に詳細を示す動力伝達部材４０が変位自在に支持されている。動力伝達部材４０には、伝達軸係合孔４１、第一被係合孔４２、第二被係合孔４３、伝達突起４４、および伝達歯竿４５（ラック）が形成されている。
【００２５】
伝達軸係合孔４１は、駆動源５０（本実施形態ではモータ）の動力によって回転する伝達歯車５１の伝達軸５１１が係合する孔である。本実施形態における伝達軸係合孔４１は貫通孔であるが貫通孔である必要はない。当該伝達軸係合孔４１の内面が伝達軸５１１に押されることにより、動力伝達部材４０が変位する。伝達軸係合孔４１の形状は、第一演出部材１０および第二演出部材２０が後述するように動作するよう設定される。
【００２６】
第一被係合孔４２および第二被係合孔４３は、第一演出部材１０に設けられ係合突起が嵌まり込む細長い孔である。本実施形態における第一被係合孔４２および第二被係合孔４３は貫通孔であるが貫通孔である必要はない。第一被係合孔４２には第一係合突起１２が、第二被係合孔４３には第二係合突起１３が嵌まり込んでいる。第一被係合孔４２の幅と第一係合突起１２の直径、第二被係合孔４３の幅と第二係合突起１３の直径はほぼ同じ（わずかに係合突起の直径の方が小さい）であり、各係合突起は、各被係合孔の長手方向に変位する（被係合孔に対する相対位置を変位させる）ことは可能であるが、各被係合孔の幅方向にはほとんど変位することができない。
【００２７】
伝達突起４４は、一方の第二演出部材２０（本実施形態では左第二演出部材２０Ｌ）側に設けられた左中継部材６０Ｌに係合している。左中継部材６０Ｌは、第一演出部材１０に回動自在に支持されており、当該支点の一方側に長孔である左第一中継孔６１Ｌが、他方側に長孔である左第二中継孔６２Ｌが形成されている。伝達突起４４は、左第一中継孔６１Ｌに係合している。左第一中継孔６１Ｌの幅と伝達突起４４の直径はほぼ同じ（わずかに伝達突起４４の直径の方が小さい）であり、伝達突起４４は、左第一中継孔６１Ｌの長手方向に変位する（左第一中継孔６１Ｌに対する相対位置を変位させる）ことは可能であるが、左第一中継孔６１Ｌの幅方向にはほとんど変位することができない。
【００２８】
また、左第二中継孔６２Ｌには、左第二演出部材２０Ｌの基端側（本実施形態では原位置に位置するときにおける上側）に設けられた左作動突起２２Ｌが係合している。左第二中継孔６２Ｌの幅と左作動突起２２Ｌの直径はほぼ同じ（わずかに左作動突起２２Ｌの直径の方が小さい）であり、左作動突起２２Ｌは、左第二中継孔６２Ｌの長手方向に変位する（左第二中継孔６２Ｌに対する相対位置を変位させる）ことは可能であるが、左第二中継孔６２Ｌの幅方向にはほとんど変位することができない。
【００２９】
伝達歯竿４５は、他方の第二演出部材２０（本実施形態では右第二演出部材２０Ｒ）側に設けられた右中継部材６０Ｒに係合している。右中継部材６０Ｒは、左中継部材６０Ｌと同様に第一演出部材１０に回動自在に支持されている。右中継部材６０Ｒの一方側（動力伝達部材４０側）には、その回動中心と中心を同じにする中継歯車部６１Ｒが、他方側には、長孔である右中継孔６２Ｒが形成されている。伝達歯竿４５は、右中継部材６０Ｒの中継歯車部６１Ｒに噛み合っている。つまり、伝達歯竿４５が変位することで、それに噛み合う中継歯車部６１Ｒ（右中継部材６０Ｒ）が回動することとなる。
【００３０】
また、右中継孔６２Ｒには、右第二演出部材２０Ｒの基端側（本実施形態では原位置に位置するときにおける上側）に設けられた右作動突起２２Ｒが係合している。右中継孔６２Ｒの幅と右作動突起２２Ｒの直径はほぼ同じ（わずかに右作動突起２２Ｒの直径の方が小さい）であり、右作動突起２２Ｒは、右中継孔６２Ｒの長手方向に変位する（右中継孔６２Ｒに対する相対位置を変位させる）ことは可能であるが、右中継孔６２Ｒの幅方向にはほとんど変位することができない。
【００３１】
光源３０は、第二演出部材２０よりもさらに後方に設けられている（図１０等参照）。具体的には、第二演出部材２０よりもさらに後方に配置された基板３１（基板３１の前面）上に複数の光源３０が実装されている。各光源３０は、前方に向かって光を出射する。本実施形態における光源３０はＬＥＤである。
【００３２】
第一演出部材１０および第二演出部材２０は、上記光源３０から出射された光を透過させる光透過部を有する。第一演出部材１０は、少なくともその幅方向両側に第一光透過部１４を有する（「剣」の「刃」の部分が第一光透過部１４となっている）（図４〜図６等参照）。本実施形態における第一光透過部１４は無色透明である。第一光透過部１４以外の箇所（例えば幅方向中央側の部分である遮蔽部１４１）は、光を透過させない材料で形成されている。
【００３３】
一方、第二演出部材２０（左第二演出部材２０Ｌおよび右第二演出部材２０Ｒ）は、第二光透過部を有する。本実施形態では、左第二演出部材２０Ｌおよび右第二演出部材２０Ｒの略全体が光透過性の材料で形成されている（略全体が第二光透過部である）。本実施形態における第二光透過部は有色（本実施形態では青）透明である。
【００３４】
このように構成される演出装置１ａの動作（作用）について以下説明する。原位置に位置する第一演出部材１０および第二演出部材２０は、上下方向に沿うようにして位置する。この際、第一演出部材１０と第二演出部材２０（左第二演出部材２０Ｌおよび右第二演出部材２０Ｒ）は、前後方向において少なくとも一部が重なっている。つまり、第二演出部材２０の少なくとも一部は、第一演出部材１０に覆われた状態にある（図５等参照）。
【００３５】
第一演出部材１０および第二演出部材２０が位置した状態から、駆動源５０を一方に回転させる（正転させる）と、第一演出部材１０および第二演出部材２０は演出位置に向かって移動する。具体的には次の通りである。駆動源５０の動力は伝達歯車５１に伝達され、伝達歯車５１が回転する。駆動源５０と伝達歯車５１との間に一または複数の他の歯車等が介在されていてもよい。伝達歯車５１が回転すると、それに設けられた伝達軸５１１が伝達歯車５１の回転中心を中心として変位する。
【００３６】
伝達軸５１１が変位すると、当該伝達軸５１１が動力伝達部材４０における伝達軸係合孔４１の側面（第一演出部材１０が原位置に位置するときにおいて幅方向に交差する面）を伝達軸５１１が押す。具体的には、伝達軸５１１は幅方向内側に向かって変位するため、動力伝達部材４０も幅方向内側に向かって変位しようとする。動力伝達部材４０の第一被係合孔４２、第二被係合孔４３には、第一演出部材１０の第一係合突起１２、第二係合突起１３が係合しており、各係合突起は各被係合孔の長手方向にのみ相対位置を変位させることが可能であるため、動力伝達部材４０が幅方向内側に向かって変位しようとすると、各係合突起が各被係合孔における幅方向の一方の内面を押す。これにより、第一演出部材１０が幅方向内側に向かって変位する。第一演出部材１０の被誘導突起１５は、センターベース８０に形成された誘導溝８１１に係合しているため、第一演出部材１０は当該誘導溝８１１に沿って幅方向内側に向かって変位することとなる。本実施形態における誘導溝８１１は円弧状であるため、第一演出部材１０は幅方向内側に向かって回動する。具体的には、第一演出部材１０は、表示装置９１に重なる位置まで進出する。
【００３７】
第一演出部材１０が所定量回動すると、伝達歯車５１の伝達軸５１１は、動力伝達部材４０における伝達軸係合孔４１の下面（第一演出部材１０が原位置に位置するときにおいて上下方向に交差する面）を伝達軸５１１が押す。これにより、動力伝達部材４０は第一演出部材１０の長手方向に沿う方向に変位しようとする。動力伝達部材４０の第一被係合孔４２、第二被係合孔４３には、第一演出部材１０の第一係合突起１２、第二係合突起１３が係合しており、各係合突起は各被係合孔の長手方向（第一演出部材１０の長手方向）に相対位置を変位させることが可能であるため、伝達軸５１１に押された動力伝達部材４０は変位する。具体的には、動力伝達部材４０は、第二演出部材２０に近づく方向（第一演出部材１０や第二演出部材２０の先端側）に変位（スライド）する。
【００３８】
このように動力伝達部材４０が変位すると、その伝達突起４４が左中継部材６０Ｌの左第一中継孔６１Ｌ内を移動しつつ、当該左第一中継孔６１Ｌの内面を押す。これにより、左中継部材６０Ｌが回動する。左中継部材６０Ｌの左第二中継孔６２Ｌ内には、左第二演出部材２０Ｌの左作動突起２２Ｌが係合しているため、回動する左中継部材６０Ｌの左第二中継孔６２Ｌの内面に左作動突起２２Ｌが押され、左第二演出部材２０Ｌが第一演出部材１０に対して変位する。具体的には、左被支持孔２１Ｌが係合する第一演出部材１０の左支持突起１１Ｌを支点として、左第二演出部材２０Ｌはその基端側が第一演出部材１０との重なる領域を小さくする方向に第一演出部材１０に対して変位（回動）する。
【００３９】
一方、動力伝達部材４０が変位すると、それに形成された伝達歯竿４５も変位する。伝達歯竿４５は右中継部材６０Ｒの中継歯車部６１Ｒに噛み合っているため、右中継部材６０Ｒが回動する。右中継部材６０Ｒの右中継孔６２Ｒ内には、右第二演出部材２０Ｒの右作動突起２２Ｒが係合しているため、回動する右中継部材６０Ｒの右中継孔６２Ｒの内面に右作動突起２２Ｒが押され、右第二演出部材２０Ｒが第一演出部材１０に対して変位する。具体的には、右被支持孔２１Ｒが係合する第一演出部材１０の右支持突起１１Ｒを支点として、右第二演出部材２０Ｒはその基端側が第一演出部材１０との重なる領域を小さくする方向に第一演出部材１０に対して変位（回動）する。
【００４０】
このように、動力伝達部材４０が第二演出部材２０に近づく方向に変位（スライド）すると、その動力が左中継部材６０Ｌを介して左第二演出部材２０Ｌに伝達され、かつ、右中継部材６０Ｒを介して右第二演出部材２０Ｒに伝達される。両第二演出部材２０は、基端側（回動する支点の反対側）が互いに離れる方向に変位する（図６、図９等参照）。このように、駆動源５０の駆動量が所定量に到達するまでは、第一演出部材１０が回動する。この際、第一演出部材１０と第二演出部材２０の相対位置は維持される。駆動源５０の駆動量が所定量を超えた後は、その動力が動力伝達部材４０や中継部材を介して第二演出部材２０に伝達される。これにより、第二演出部材２０は、第一演出部材１０に対する相対位置を変化させる。具体的には、左第二演出部材２０Ｌ、右第二演出部材２０Ｒともに、第一演出部材１０と重なる範囲を小さくする方向に変位する。
【００４１】
駆動源５０を他方に回転（逆転）させると、第一演出部材１０および第二演出部材２０は、上記と逆の動作をする。
【００４２】
なお、本実施形態では、このような演出装置１ａが左右に一組ずつ設けられており、第一演出部材１０およびそれに支持された第二演出部材２０が演出位置に到達すると、表示装置９１の手前側で互いに交差する演出態様を構築する（図３参照）。一方の第一演出部材１０および第二演出部材２０と、他方の第一演出部材１０および第二演出部材２０は、互いに干渉し合わないように前後方向位置をずらして設けられる。
【００４３】
本実施形態では、第一演出部材１０に対して第二演出部材２０が変位する前の状態（以下、第一状態と称することもある）と、変位した後の状態（以下、第二状態と称することもある）とでは、第一演出部材１０に形成された第一光透過部１４に対し第二演出部材２０が重なる領域の大きさが異なるように設定されている。具体的には、第一演出部材１０に対して第二演出部材２０が変位する前の状態（図５、図８等参照）では、前後方向において左第二演出部材２０Ｌや右第二演出部材２０Ｒが第一演出部材１０の第一光透過部１４と重なる領域は相対的に（第二状態にあるときに比して）大きく、第一演出部材１０に対して第二演出部材２０が変位した後の状態（図６、図９等参照）では、前後方向において左第二演出部材２０Ｌや右第二演出部材２０Ｒが第一演出部材１０の第一光透過部１４と重なる領域は相対的に（第一状態にあるときに比して）小さい。
【００４４】
したがって、光源３０から光を出射させたとき、第二演出部材２０が第一状態にあるときと、第二演出部材２０が第二状態にあるときとでは、第一光透過部１４に対する第二演出部材２０が重なる領域の大きさが異なるから、第一光透過部１４を通じた光の見え方（光の加減）が異なることとなる。つまり、光源３０によって照らされる演出部材を用いた演出の趣向性を向上させること（演出のバリエーションを増加させること）が可能である。
【００４５】
しかも、本実施形態では、両第二演出部材２０が第二状態にあるとき、前後方向においていずれの第二演出部材２０も光源３０と重ならないように設定されている（図６、図９参照）。このような構成とすれば、第二演出部材２０が第二状態にあるときには、第二演出部材２０の後方に光源３０が位置しないのであるから、当該第二状態において光源３０から光を出射したとき、第一演出部材１０を照らす光量は多いものの、第二演出部材２０を照らす光量は少なく、当該第二演出部材２０と第一演出部材１０の明暗がよりはっきりとする。したがって、第一状態にあるときと第二状態にあるときの態様（遊技者が受ける印象）の差を大きくすることが可能である。
【００４６】
また、本実施形態では、第一光透過部１４は無色透明であり、第二光透過部は有色透明である。したがって、第二演出部材２０が第一状態にあるときと第二状態にあるときとでは、遊技者が視認できる光の色が異なる。本実施形態では、第一状態にあるときには、第一光透過部１４と第二光透過部が重なった部分を通じて一部の光が出射される（図５、図８等参照）ため、光の色は第二光透過部の色によって決まる色となる（光源３０の光が無色であれば、第二光透過部の色となる）一方、第二状態にあるときには、多くの光が第一光透過部１４を通じて出射される（図６、図９等参照）ため、光の色は光源３０の光の色そのものとなる。このように、第二演出部材２０の変位とともに、光の色の変化を生じさせる趣向性の高い演出とすることが可能である。
【００４７】
以上、本発明の実施の形態について詳細に説明したが、本発明は上記実施の形態に何ら限定されるものではなく、本発明の要旨を逸脱しない範囲で種々の改変が可能である。
【００４８】
例えば、上記実施形態では、一つの第一演出部材１０に対し、二つの第二演出部材２０（左第二演出部材２０Ｌおよび右第二演出部材２０Ｒ）が変位可能に支持されていることを説明したが、第二演出部材２０の数や形状等は適宜変更可能である。
【００４９】
また、上記実施形態では、第二演出部材２０は第二光透過部を有するものであることを説明したが、このような光透過部を有しないものであってもよい。つまり、第二演出部材２０の全体が光透過性を有しない材料で形成されたものであってもよい。かかる構成としても、第一演出部材１０に対して第二演出部材２０が変位することで、第一光透過部１４を通じた光の見え方（光の加減）が変化する。
【００５０】
また、上記実施形態では、第一状態にあるときには、前後方向において第一光透過部１４の全体に第二光透過部が重なり、第二状態にあるときには、前後方向において第一光透過部１４の一部に第二光透過部（第二演出部材２０）が重なるように設定されていることを説明したが、かかる態様はあくまで一例である。第一状態にあるときにおける第一光透過部１４と第二光透過部が前後方向において重なる領域が、第二状態にあるときにおける第一光透過部１４と第二光透過部が前後方向において重なる領域よりも大きければよい。第一状態にあるときと第二状態にあるときにおける色の変化を最も大きくしたいのであれば、第一状態にあるときには、前後方向において第一光透過部１４の全体に第二光透過部が重なり、第二状態にあるときには、前後方向において第一光透過部１４に第二光透過部が全く重ならないように設定されているとよい。
【００５１】
また、上記実施形態では、第一光透過部１４の全体（無色透明）と、第二光透過部（第二演出部材２０）の全体（有色透明）の色が異なるものであることを説明したが、第一光透過部１４の少なくとも一部と、第二光透過部の少なくとも一部の色が異なるものについても同様の技術思想が適用可能である。第一光透過部１４の少なくとも一部と第二光透過部の少なくとも一部の両方とも、互いに色が異なる有色透明な部分であってもよい。そして、第一状態にあるときにおける第一光透過部１４と第二光透過部の色が異なる部分が前後方向において重なる領域が、第二状態にあるときにおける第一光透過部１４と第二光透過部の色が異なる部分が前後方向において重なる領域よりも大きければ、第二演出部材２０の変位とともに、光の色の変化を生じさせる趣向性の高い演出とすることが可能である。
【符号の説明】
【００５２】
１  遊技機
１ａ  演出装置
１０  第一演出部材
１４  第一光透過部
２０  第二演出部材（第二光透過部）
２０Ｌ  左第二演出部材
２０Ｒ  右第二演出部材
３０  光源
５０  駆動源
【図１】
2016174920.tif 000003
【図２】
2016174920.tif 000004
【図３】
2016174920.tif 000005
【図４】
2016174920.tif 000006
【図５】
2016174920.tif 000007
【図６】
2016174920.tif 000008
【図７】
2016174920.tif 000009
【図８】
2016174920.tif 000010
【図９】
2016174920.tif 000011
【図１０】
2016174920.tif 000012